(57)【要約】【課題】安定した無線通信を行うことができ、処理効率を向上することが可能であるとともに信頼性の低下を防止することが可能な券類処理装置を提供することを目的とする。【解決手段】ＣＰＵ７０は、搬送用モータ４３の駆動を制御して無線カードを搬送路に沿って搬送し、無線カードリーダライタ部９８を制御して搬送路上の所定の通信エリアにおいて無線カードとの間で無線通信を行う。このとき、ＣＰＵ７０は、搬送状態検知器９１からの出力信号に基づいて搬送される券類の搬送状態を判定し、搬送状態に応じて、券類の通信可能範囲内の所定位置が無線カードリーダライタ部９８の無線アンテナ部４１の通信エリア内に位置するよう無線カードの搬送を停止させ、無線通信を行うよう制御する。【選択図】　　　　　図８
2004013498.tif 000002
【特許請求の範囲】
【請求項１】
券類を搬送路に沿って搬送する搬送手段と、
搬送路上の所定の通信エリアにおいて券類との間で無線通信を行う無線通信手段と、
前記搬送手段によって搬送される券類の搬送状態に応じて、券類の通信可能範囲内の所定位置が前記無線通信手段の通信エリア内に位置するよう券類の搬送を停止させ、前記無線通信手段により無線通信を行うよう制御する制御手段と、
を備えたことを特徴とする券類処理装置。
【請求項２】
券類を搬送路に沿って搬送する搬送手段と、
搬送路上の所定の通信エリアにおいて券類との間で無線通信を行う無線通信手段と、
前記搬送手段によって搬送される券類の搬送状態に対応した券類の通信可能範囲を規定する通信可能範囲情報を記憶した記憶手段と、
券類の搬送状態に応じて、前記記憶手段に記憶された通信可能範囲情報に基づいて券類の通信可能範囲内の所定位置が前記無線通信手段の通信エリア内に位置するよう券類の搬送を停止させ、前記無線通信手段により無線通信を行うよう制御する制御手段と、
を備えたことを特徴とする券類処理装置。
【請求項３】
券類を搬送路に沿って搬送する搬送手段と、
搬送路上の所定の通信エリアにおいて券類との間で無線通信を行う無線通信手段と、
前記搬送手段によって搬送される券類の一方の主面に形成されたマークを検知することにより券類の搬送状態を検知する検知手段と、
券類の搬送状態に対応した券類の通信可能範囲を規定する通信可能範囲情報を記憶した記憶手段と、
前記検知手段によって検知された券類の搬送状態に応じて、前記記憶手段に記憶された通信可能範囲情報に基づいて券類の通信可能範囲内の所定位置が前記無線通信手段の通信エリア内に位置するよう券類の搬送を停止させ、前記無線通信手段により無線通信を行うよう制御する制御手段と、
を備えたことを特徴とする券類処理装置。
【請求項４】
券類を搬送路に沿って搬送する搬送手段と、
搬送路上の所定の通信エリアにおいて券類との間で無線通信を行う無線通信手段と、
前記搬送手段によって搬送される券類の搬送状態に応じて、券類の通信可能範囲内の第１位置が前記無線通信手段の通信エリア内に位置するよう券類の搬送を停止させ、前記無線通信手段により無線通信を行うよう制御するとともに、前記無線通信手段による無線通信エラーが生じた場合に前記搬送手段により前記第１位置とは異なる第２位置が前記無線通信手段の通信エリア内に位置するよう券類を移動し、再度前記無線通信手段により無線通信を行うよう制御する制御手段と、
を備えたことを特徴とする券類処理装置。
【請求項５】
券類を搬送路に沿って搬送する搬送手段と、
搬送路上の所定の通信エリアにおいて券類との間で無線通信を行う無線通信手段と、
前記搬送手段によって搬送される券類の搬送状態に対応した券類の通信可能範囲を規定する通信可能範囲情報及び補正範囲を規定する補正範囲情報を記憶した記憶手段と、
券類の搬送状態に応じて、前記記憶手段に記憶された通信可能範囲情報に基づいて券類の通信可能範囲内の第１位置が前記無線通信手段の通信エリア内に位置するよう券類の搬送を停止させ、前記無線通信手段により無線通信を行うよう制御するとともに、前記無線通信手段による無線通信エラーが生じた場合に前記搬送手段により前記記憶手段に記憶された補正範囲情報に基づいて前記第１位置とは異なる第２位置が前記無線通信手段の通信エリア内に位置するよう券類を移動し、再度前記無線通信手段により無線通信を行うよう制御する制御手段と、
を備えたことを特徴とする券類処理装置。
【請求項６】
券類を搬送路に沿って搬送する搬送手段と、
搬送路上の所定の通信エリアにおいて券類との間で無線通信を行う無線通信手段と、
前記搬送手段によって搬送される券類の一方の主面に形成されたマークを検知することにより券類の搬送状態を検知する検知手段と、
券類の搬送状態に対応した券類の通信可能範囲を規定する通信可能範囲情報及び補正範囲を規定する補正範囲情報を記憶した記憶手段と、
券類の搬送状態に応じて、前記記憶手段に記憶された通信可能範囲情報に基づいて券類の通信可能範囲内の第１位置が前記無線通信手段の通信エリア内に位置するよう券類の搬送を停止させ、前記無線通信手段により無線通信を行うよう制御するとともに、前記無線通信手段による無線通信エラーが生じた場合に前記搬送手段により前記記憶手段に記憶された補正範囲情報に基づいて前記第１位置とは異なる第２位置が前記無線通信手段の通信エリア内に位置するよう券類を移動し、再度前記無線通信手段により無線通信を行うよう制御する制御手段と、
を備えたことを特徴とする券類処理装置。
【請求項７】
所定の券類情報を記憶した券類を発行する発行手段を備えたことを特徴とする請求項１乃至６のいずれか１項に記載の券類処理装置。
【請求項８】
券類に記憶された所定の券類情報に基づいて精算処理を行う精算手段を備えたことを特徴とする請求項１乃至６のいずれか１項に記載の券類処理装置。
【請求項９】
金銭的価値に対応した金額情報を記憶した券類に入金された金額に対応して金額情報を積み増しするチャージ手段を備えたことを特徴とする請求項１乃至６のいずれか１項に記載の券類処理装置。
【発明の詳細な説明】
【０００１】
【発明の属する技術分野】
この発明は、券類処理装置に係り、特に、券類としての無線カードを無線通信可能な位置に搬送して所定の処理を行う券類処理装置に関する。
【０００２】
【従来の技術】
従来、券類としての無線カードに対して無線通信により所定の処理を施す券類処理装置が実用化されている。このような券類処理装置は、所定の券類情報を記憶した無線カードをはじめとする種々の券類を発行する券売機や、無線カードなどの券類に記憶された所定の券類情報に基づいて精算処理を行う精算機などに搭載されている。
【０００３】
券類処理装置は、無線カードとの間で無線通信を行う無線カードリーダライタ部を備えている。無線カードリーダライタ部は、バッテリーレスの無線カードに対して無線アンテナ部から発信される電磁波により駆動電力を供給し、無線カードのメモリ部に記憶された種々の情報を読み取るとともにメモリ部に新たな情報を書き込む。
【０００４】
特に、無線カードを内部に取り込んで処理する券類処理装置の場合、無線カードリーダライタ部は、開局申請を必要としない程度の微弱な電磁波を発信する。このため、取り込んだ無線カードは、無線カードリーダライタ部の無線アンテナ部に極めて近い通信エリア内の所定位置に搬送され、搬送を停止させた状態で無線カードリーダライタ部との間で無線通信が行われる場合が多い。
【０００５】
【発明が解決しようとする課題】
上述したような券類処理装置の場合、微弱な電磁波を用いて無線通信を行うため、通信エリアが極めて狭い。このため、無線カードリーダライタ部の無線アンテナ部に対して無線カードを正確に所定位置で搬送停止させる必要がある。
【０００６】
また、無線カード自体あるいは無線カードリーダライタ部自体の個体差、さらには装置の設置環境などにより、無線カードと無線カードリーダライタ部との間で無線通信が可能な範囲にばらつきが生ずる。
【０００７】
したがって、無線アンテナ部の位置に対して無線カードを一義的な所定位置で搬送停止させて無線通信を行うように設定した場合、上述したような理由により、頻繁に無線通信エラーが発生するおそれがある。このように、頻繁に無線通信エラーが発生した場合、無線カードの処理効率が低下するとともに、装置自体の信頼性を損なうといった問題が生ずる。
【０００８】
この発明は、上述した問題点に鑑みなされたものであって、その目的は、安定した無線通信を行うことができ、処理効率を向上することが可能であるとともに信頼性の低下を防止することが可能な券類処理装置を提供することにある。
【０００９】
【課題を解決するための手段】
この発明の第１の様態による券類処理装置は、
券類を搬送路に沿って搬送する搬送手段と、
搬送路上の所定の通信エリアにおいて券類との間で無線通信を行う無線通信手段と、
前記搬送手段によって搬送される券類の搬送状態に応じて、券類の通信可能範囲内の所定位置が前記無線通信手段の通信エリア内に位置するよう券類の搬送を停止させ、前記無線通信手段により無線通信を行うよう制御する制御手段と、
を備えたことを特徴とする。
【００１０】
この発明の第２の様態による券類処理装置は、
券類を搬送路に沿って搬送する搬送手段と、
搬送路上の所定の通信エリアにおいて券類との間で無線通信を行う無線通信手段と、
前記搬送手段によって搬送される券類の搬送状態に応じて、券類の通信可能範囲内の第１位置が前記無線通信手段の通信エリア内に位置するよう券類の搬送を停止させ、前記無線通信手段により無線通信を行うよう制御するとともに、前記無線通信手段による無線通信エラーが生じた場合に前記搬送手段により前記第１位置とは異なる第２位置が前記無線通信手段の通信エリア内に位置するよう券類を移動し、再度前記無線通信手段により無線通信を行うよう制御する制御手段と、
を備えたことを特徴とする。
【００１１】
【発明の実施の形態】
以下、この発明の一実施の形態に係る券類処理装置について図面を参照して説明する。この券類処理装置は、磁気式及び無線式の券類を処理するものであり、例えば駅務機器としての券売機や精算機などに備えられている。なお、磁気式の券類としては、普通乗車券、回数券、連絡乗車券、特急券、定期券、プリペイドカードなどがあり、無線式の券類としては、定期券、プリペイドカード、及び定期券とプリペイドカードとの両方の機能を兼ね備えた無線カードがある。
【００１２】
図１に示すように、改札システムは、ホストコンピュータ１００と、各種駅務機器とによって構成されている。このホストコンピュータ１００は、通信回線１２０を介して、駅務機器としての券売機２００、改札機３００、精算機４００などに接続されている。
【００１３】
ホストコンピュータ１００は、改札システム全体を制御するＣＰＵ１１１を有している。このＣＰＵ１１１には、ホストコンピュータ１００を制御するための制御データなどを記憶しているメモリ部１１２、システムの状態やホストコンピュータ１００の動作状態などを表示する表示部１１３、種々の情報を入力するためのキーボードなどを有する入力部１１４、各駅務機器との間で通信回線１２０を介してデータの送受信を行う通信制御部１１５などが接続されている。
【００１４】
券売機２００は、券類を利用する利用者の操作による条件入力を受け付け、現金またはプリペイドカードなどの対価を受け取ることにより、入力された条件に基づいて所定の券類情報を記憶した券類を発行する。この券売機２００は、例えば普通乗車券、回数券、連絡乗車券、特急券、定期券、無線カードなどの券類を発行する。
【００１５】
改札機３００は、利用者が所持する（また使用者によって投入された）券類を受け取り、券類に記憶された改札処理に必要な券類情報を読み取り、この券類情報に基づいて改札処理を行う。この改札機３００は、例えば普通乗車券、回数券、連絡乗車券、特急券、定期券、無線カードなどの券類を処理する。
【００１６】
精算機４００は、利用者によって投入された券類を受け取り、券類に記憶された精算処理に必要な券類情報を読み取り、精算金額を算出し、現金またはプリペイドカードなどの対価を受け取ることにより、券類情報に基づいた精算処理を行う。この精算機４００は、例えば普通乗車券、回数券、連絡乗車券、特急券、定期券、無線カードなどの券類を処理する。
【００１７】
図２に示すように、無線カードＣは、所定の通信可能範囲を有したアンテナ部ＡＴ、券類情報を記憶したメモリ部Ｍなどを備えている。このメモリ部Ｍには、券類情報として、定期券として利用する際に必要な定期券情報、例えば利用区間、有効期限、利用者の氏名、住所、性別、年齢などの情報が記憶されている。また、このメモリ部Ｍには、プリペイドカードとして利用する際に必要なプリペイド情報、例えば金銭的価値に対応した金額情報（残額情報）などが記憶されている。
【００１８】
また、図２に示すように、この無線カードＣにおける一方の主面すなわち表面には、投入方向を示す矢印Ｘ、利用区間、有効期限、利用者氏名などが印刷されている。無線カードＣにおける他方の主面すなわち裏面には、無線カードＣの搬送状態などを検知するために利用されるマークＭＫなどが印刷されている。
【００１９】
次に、上述したような無線カードＣを処理する券類処理装置を搭載した券売機２００について説明する。
【００２０】
すなわち、図３に示すように、券売機２００は、装置の各部を制御するＣＰＵ２０１を備えている。このＣＰＵ２０１には、メモリ部２０２、操作部２０４、表示部２０５、現金処理部２０６、券類処理装置２０７、通信制御部２０８などが接続されている。
【００２１】
メモリ部２０２は、装置全体を制御するための制御プログラムなどを記憶しているＲＯＭ、券類から読み取った券類情報を一時的に記憶するとともに制御プログラムのバッファとして情報を記憶するＲＡＭ、路線毎及び経路毎に券類の発行処理に必要な運賃情報を記憶している運賃メモリなどを備えて構成されている。
【００２２】
操作部２０４は、種々の設定を行うのに必要な各種ボタンを備えている。すなわち、この操作部２０４は、乗車券類の購入枚数、大人用乗車券類／小人用乗車券類の区分、乗車券類の券種（普通乗車券／回数券／特急券…）などの条件を指定する条件釦などを備えている。
【００２３】
表示部２０５は、例えばタッチパネルを備えて構成されており、種々の設定に基づいた情報を表示するとともに、種々の設定を行うのに必要な各種ボタンを表示してこれらのボタンの入力を検知する。
【００２４】
すなわち、この表示部２０５は、利用者によって投入された現金、すなわち紙幣及び硬貨の投入金額、投入されたプリペイドカードの残額、購入した券類の金額、釣銭金額、券売機２００の動作状態など種々の情報を表示する。また、この表示部２０５は、投入された現金の投入金額またはプリペイドカードの残額に基づいて、発売可能な路線の区間運賃を点灯表示する複数の口座釦を表示する。
【００２５】
さらに、この表示部２０５は、無線カードを発行する際の案内画面を表示するとともに、無線カードを発行するのに必要な券類情報の入力を受け付ける。この表示部２０５を介して入力された券類情報は、無線カードＣのメモリ部Ｍに記憶される。
【００２６】
現金処理部２０６は、券類の発行に必要な現金、すなわち紙幣投入口から投入された紙幣及び硬貨投入口から投入された硬貨の真偽判定や種別判定、合計金額の算出などの処理を行う。また、この現金処理部２０６は、釣銭を算出して、紙幣排出口から釣銭としての紙幣を排出するとともに硬貨排出口から釣銭としての硬貨を排出する。
【００２７】
券類処理装置２０７は、設定された券類情報に基づいて磁気式及び無線式の券類を処理するものであり、例えば券類を発行したり、プリペイドカードやクレジットカードなどから所定金額を差し引くなどの処理を行う。
通信制御部２０８は、通信回線１２０を介してホストコンピュータ１００との間でデータを送受信する。
【００２８】
次に、上述したような無線カードＣを処理する券類処理装置を搭載した精算機４００について説明する。
すなわち、図４に示すように、精算機４００は、券類に記憶された券類情報に基づいて精算処理を行う精算手段として機能するＣＰＵ４０１を備えている。このＣＰＵ４０１には、メモリ部４０２、操作部４０４、表示部４０５、現金処理部４０６、券類処理装置４０７、通信制御部４０８などが接続されている。
【００２９】
メモリ部４０２は、装置全体を制御するための制御プログラムなどを記憶しているＲＯＭ、券類から読み取った券類情報を一時的に記憶するとともに制御プログラムのバッファとして情報を記憶するＲＡＭ、入場駅からこの精算機４００の設置駅までの精算処理に必要な運賃情報を記憶している運賃メモリなどを備えて構成されている。
【００３０】
操作部４０４は、種々の設定を行うのに必要な各種ボタンを備えている。
表示部４０５は、例えばタッチパネルを備えて構成されており、精算処理に必要な案内画面を表示するとともに、種々の設定を行うのに必要な各種ボタンを表示してこれらのボタンの入力を検知する。すなわち、この表示部４０５は、利用者によって投入された現金、すなわち紙幣及び硬貨の投入金額、投入されたプリペイドカードの残額、精算金額、釣銭金額、精算機４００の動作状態など種々の情報を表示する。
【００３１】
現金処理部４０６は、紙幣投入口から投入された紙幣及び硬貨投入口から投入された硬貨の真偽判定や種別判定、合計金額の算出などの処理を行う。また、この現金処理部４０６は、釣銭を算出して、紙幣排出口から釣銭としての紙幣を排出するとともに硬貨排出口から釣銭としての硬貨を排出する。
【００３２】
券類処理装置４０７は、設定された券類情報に基づいて磁気式及び無線式の券類を処理するものであり、例えばプリペイドカードや無線カードなどから精算機額を差し引くなどの処理を行う。
通信制御部４０８は、通信回線１２０を介してホストコンピュータ１００との間でデータを送受信する。
【００３３】
次に、これらの券売機２００や精算機４００に搭載される券類処理装置２０７及び４０７の構成についてより詳細に説明する。なお、これらの券類処理装置は、ほぼ同一の構成であるが、ここでは、特に券売機２００に搭載される券類処理装置２０７を例に説明する。
【００３４】
図５に示すように、券類処理装置２０７において、本体の左側（フロント側）には、券類を受け取ったり返却したり排出したりするための投入口８が設けられている。この投入口８から投入された券類は、取り込み搬送路９に沿って搬送される。
【００３５】
この取り込み搬送路９上には、投入された券類を検知するとともに券類の種類を判別する検知器１０、搬送ローラ９ａ等が設けられている。検知器１０は、例えば透過型の光学センサによって構成されている。搬送ローラ９ａは、搬送用モータ１３によってを回転駆動される。
【００３６】
取り込み搬送路９を搬送された券類は、一括排出用保留部６５に導かれる。この一括排出用保留部６５は、搬送路９に対してストッパ６６ａを移動するソレノイド６６により構成されている。この一括排出用保留部６５は、磁気カード用搬送路１６、クレジットカード用搬送路１７、無線カード用搬送路１８などを搬送された各券類を一時的に保留する。また、この一括排出用保留部６５は、保留した券類を搬送路９を取り込み方向と逆方向の投入口８側へ向けて搬送することにより、一取引ごと投入口８から排出する。
【００３７】
一括排出用保留部６５を通過した券類は、第１の振分け部１５ａにより磁気カード用搬送路１６またはクレジットカード用搬送路１７に選択的に振分けられる。クレジットカード用搬送路１７を搬送された券類は、第２の振分け部１５ｂにより無線カード用搬送路１８または保留用搬送路２０に選択的に振分けられる。保留用搬送路２０に搬送された券類は、移載部１５ｃにより回収用の搬送路１０２に移載される。
【００３８】
第１の振分け部１５ａは、フラッパ６７とフラッパ６７を回動するソレノイド６８とによって構成される。第２の振分け部１５ｂは、可動式振分けガイド部６０と、この可動式振分けガイド部６０を稼動する駆動アクチュエータ６１とによって構成されている。
【００３９】
搬送路１７、１８から搬送された券類は、必要に応じて可動式の振分けガイド部６０により搬送路２０へ移動載置される。また、搬送路２０から搬送された券類も同様に、必要に応じて可動式の振分けガイド部６０により搬送路１７へ移動載置される。
【００４０】
第２の振分け部１５ｂの可動式振分けガイド部６０の下方には、取忘れ回収庫６２が設けられている。すなわち、可動式振分けガイド部６０を上側に上げてある状態で券類を搬送路１７から第２の振分け部１５ｂを介して搬送路１８へ搬送することにより、券類が取忘れ回収庫６２に収納される。
【００４１】
第１の振分け部１５ａと第２の振分け部１５ｂとの間のクレジットカード用搬送路１７には、磁気読取り部９０、ＩＣコンタクト部９２などが設けられている。
【００４２】
磁気読取り部９０は、クレジットカードの磁気ストライプのリードを行う。ＩＣコンタクト部９２は、クレジットカードのコンタクトＩＣの処理を行う。また、搬送路１７上には、磁気読取り時の位置出し処理のタイミングをとる、あるいはコンタクトＩＣの位置出し処理のタイミングをとる、あるいはＪＡＭ券の位置検出を行うことができる搬送路センサ９７が設けられている。
【００４３】
磁気カード用搬送路１６の端部（本体７の右側上部、リア側）には、新規発行用の磁気カードが収納されている磁気カードホッパ９３が設けられている。磁気カード一時保留部２６の端部（本体７の右側中間部、リア側）には、磁気カードの回収箱９４が設けられている。
【００４４】
搬送路１０２の端部（本体７の右側中間部、リア側）には、無線カードの回収箱９５が設けられている。無線カード用搬送路１８の端部（本体７の右側下部、リア側）には、新規発行用の無線カードが収納されている無線カードホッパ９６が設けられている。
【００４５】
第１の振分け部１５ａと磁気カードホッパ９３との間の磁気カード用搬送路１６上には、リーダライタ２２、パンチ部２３、裏面印刷部２４が設けられている。
【００４６】
リーダライタ２２は、磁気カードに対する磁気情報の書き込み、読み取りを行う。パンチ部２３は、減算処理時にカード減算額の目安パンチを行う。裏面印刷部２４は、発行される磁気カードに券種等の情報を印刷し、減算処理時に磁気カードに残高を印刷する。
【００４７】
また、裏面印刷部２４と磁気カードホッパ９３との間の磁気カード用搬送路１６上には、振分け部２５が設けられている。裏面印刷部２４側から搬送される磁気カードは、振分け部２５により振分けられ、一時保留部２６に保留される。この一時保留部２６は、２枚の磁気カードの挿入に対する処理を可能とするために設けられている。
【００４８】
また、パンチ部２３と裏面印刷部２４との間の磁気カード用搬送路１６上には、振分け部２７が設けられている。裏面印刷部２４側から搬送される磁気カードは、振分け部２７により振分けられ、反転部２８に搬送される。この反転部２８には、表面印刷部２９が設けられている。表面印刷部２９は、磁気カードの表面に印刷する。反転部２８は、裏面定位の本機で表印刷を行う場合に使用する。
【００４９】
また、表面印刷部２９の下方には、磁気カード用搬送路１６の搬送ローラ等を回転駆動する磁気カード用の搬送用モータ３２が設けられている。振分け部２５、２７の近傍には、それぞれ振分け部２５、２７を駆動するためのソレノイド３４、３５が設けられている。
【００５０】
パンチ部２３の近傍には、パンチ部２３を駆動するソレノイド３６が設けられている。磁気カード用搬送路１６上には、磁気処理や印刷処理のタイミングをとる、あるいはＪＡＭ券の位置検出を行うことができる搬送路センサ３７が設けられている。
【００５１】
第２の振分け部１５ｂと無線カードホッパ９６との間の無線カード用搬送路１８上には、搬送状態検知器９１、無線カード印刷部（リライト印刷部）４２、位置検知用センサ９９、無線カードリーダライタ（無線Ｒ／Ｗ部）９８などが設けられている。
【００５２】
これら無線カード印刷部４２及び無線カードリーダライタ部９８は、券類として無線カードを発行する発行手段として機能する。
【００５３】
無線カード印刷部４２は、券類としての無線カードＣの表面に所定情報をリライトする機能を有している。この無線カード印刷部４２は、ヒートローラ４２ａ、サーマルヘッド４２ｂなどを備えて構成されている。サーマルヘッド４２ｂは、無線カードＣの表面に所定情報、すなわち有効期限や利用区間、利用者の氏名や年齢、性別等を印刷する機能を有している。ヒートローラ４２ａは、無線カードＣの表面に印刷された所定情報を消去する消去する機能を有している。
【００５４】
なお、ここでのリライト印刷とは、リライト用ロイコ層を有する無線カードＣなどの券類に対して、すでに印刷されている所定情報をヒートローラ４２ａによって約２００度で加熱することによって一端消去し、サーマルヘッド４２ｂにより更新された最新の所定情報を印刷するものである。
【００５５】
無線カードリーダライタ部９８は、無線カード用搬送路１８上の所定の通信エリア内において券類としての無線カードＣとの間で無線通信を行う無線通信手段として機能する。この無線カードリーダライタ９８は、無線アンテナ部４１を備え、バッテリーレスの無線カードＣに対して無線アンテナ部４１から発信される電磁波により駆動電力を供給し、無線通信により無線カードＣのメモリ部Ｍに記憶された種々の情報を読み取るとともにメモリ部Ｍに新たな情報を書き込むものである。
【００５６】
搬送状態検知器９１は、無線カードＣの裏面に印刷されたマークＭＫを検知するための信号を出力する検知手段として機能する。この出力信号により、無線カードＣの表裏及び搬送状態が判別される。すなわち、図６に示すように、無線カードＣを無線カード用搬送路１８に沿って搬送する場合、４つの搬送状態がある。
【００５７】
無線カードＣは、図２に示したように、投入方向Ｘに沿って先端部及び後端部を規定した場合、
第１搬送状態：表面を上向にして先端部から投入された時
第２搬送状態：表面を上向にして後端部から投入された時
第３搬送状態：裏面を上向にして先端部から投入された時
第４搬送状態：裏面を上向にして後端部から投入された時
の以上の４つの搬送状態で搬送可能である。
【００５８】
搬送状態検知器９１は、無線カードＣの４つの搬送状態に対応して４つの検知器９１Ａ乃至９１Ｄを備えて構成される。そして、第１搬送状態検知器９１ＡによってマークＭＫが検知された場合には、無線カードＣが第１搬送状態で搬送されたと判断される。第２搬送状態検知器９１ＢによってマークＭＫが検知された場合には、無線カードＣが第２搬送状態で搬送されたと判断される。
【００５９】
また、第３搬送状態検知器９１ＣによってマークＭＫが検知された場合には、無線カードＣが第３搬送状態で搬送されたと判断される。第４搬送状態検知器９１ＤによってマークＭＫが検知された場合には、無線カードＣが第４搬送状態で搬送されたと判断される。
【００６０】
位置検知用センサ９９は、無線カード用搬送路１８に沿って搬送される無線カードを検知するための信号を出力する。この出力信号は、無線カードリーダライタ部９８におけるリーダライタ時の位置出し処理のタイミングをとるために利用される。
【００６１】
これら第１乃至第４搬送状態検知器９１Ａ乃至９１Ｄは、例えば発光部及び受光部を一体に備えた反射型の光学センサによって構成されている。また、位置検知用センサ９９は、例えば無線カード用搬送路１８を挟んで対向して配置された発光部及び受光部を備えた透過型の光学センサによって構成されている。
【００６２】
また、無線カードホッパ９６の近傍には、クレジットカード搬送路１７及び無線カード用搬送路１８の搬送ローラや搬送ベルト等を回転駆動する搬送用モータ４３が設けられている。この搬送用モータ４３は、これらの搬送ローラや搬送ベルトによって規定された搬送路に沿って券類を搬送する搬送手段として機能する。
【００６３】
さらに、無線カード用搬送路１８上には、搬送路センサ４４が設けられている。この搬送路センサ４４は、無線カードＣの搬送位置を検知するための信号を出力する。この出力信号は、ＪＡＭ券の位置検出を行うために利用される。この搬送路センサ４４は、例えば無線カード用搬送路１８を挟んで対向して配置された発光部及び受光部を備えた透過型の光学センサによって構成されている。
【００６４】
無線カードの回収箱９５には、無線カードＣの新規発行時の無線処理を失敗した場合や、リサイクル回数が規程回数に達した無線カードＣなどが回収される。搬送路１８上の回収される無線カードＣは、可動式振分けガイド部６０によって搬送路２０に振分けられる。この搬送路２０を搬送されることにより、無線カードＣは、可動式移載ガイド部１０１によって搬送路１０２に移載される。この搬送路１０２を搬送されることにより、無線カードＣは、回収箱９５に回収される。
【００６５】
可動式移載ガイド部１０１は、駆動アクチュエータ１０３によって駆動される。また、搬送路２０の近傍には、搬送路２０、１０２の搬送ローラ等を回転駆動する搬送用モータ１０４が設けられている。
【００６６】
図７に示すように、券類処理装置２０７は、装置全体を制御するＣＰＵ７０を備えている。このＣＰＵ７０には、投入口処理部１４、振分け処理部６３、一括排出用保留部６５、磁気カード処理部３８、クレジットカード処理部５５、無線カード処理部４５などが接続されている。
【００６７】
投入口処理部１４は、磁気カード、無線カード、クレジットカードなどの券類の受け取り、返却、排出のそれぞれの動作を行う。この投入口処理部１４は、ＣＰＵ７０の制御に基づいて、取り込み搬送路９上に設けられた検知器１０、搬送ローラ９ａを駆動するための搬送用モータ１３などを制御する。
【００６８】
振分け処理部６３は、券類の種類に基づいて対応する搬送路に振分ける。この振分け処理部６３は、ＣＰＵ７０の制御に基づいて、可動式振分けガイド部６０を稼動する駆動アクチュエータ６１、可動式移載ガイド部１０１を駆動する駆動アクチュエータ１０３、フラッパ６７を駆動するソレノイド６８などを制御する。
【００６９】
一括排出用保留部６５は、各搬送路１６、１７、１８からの各券類を一時的に保留する。この一括排出用保留部６５は、ＣＰＵ７０の制御に基づいて、ストッパ６６ａを駆動するソレノイド６６などを制御する。
【００７０】
磁気カード処理部３８は、カード口から投入されたプリペイドカードなどの磁気カードに磁気記録されている情報を読み出すとともにこの投入された磁気カードに対して減算処理など所定の情報を書き込む機能を有している。また、この磁気カード処理部３８は、磁気式の券類、例えば普通乗車券、回数券、特急券、連絡乗車券などを発行する発行手段として機能する（精算機４００の場合には、磁気式の精算券を発行する）。
【００７１】
この磁気カード制御部３８は、ＣＰＵ７０の制御に基づいて、磁気カードホッパ９３の駆動部、リーダライタ２２、パンチ部２３を駆動するソレノイド３６、裏面印刷部２４、振分け部２５を駆動するソレノイド３４、一時保留部２６、振分け部２７を駆動するソレノイド３５、反転部２８、表面印刷部２９、搬送路１６に設けられた搬送ローラを駆動する搬送用モータ３２などを制御する。
【００７２】
クレジットカード処理部５５は、カード口から投入されたクレジットカードに磁気記録されている情報を読み出すとともにこの投入されたクレジットカードに対して所定の情報を書き込む機能を有している。
【００７３】
例えば、このクレジットカード制御部５５は、クレジットカードのＩＤ情報を読み取り、クレジットカードでの券類の購入動作を行う。このクレジットカード制御部５５は、ＣＰＵ７０の制御に基づいて、表裏判別用の検知器９１、磁気読取り部９０、ＩＣコンタクト部９２などを制御する。
【００７４】
無線カード処理部４５は、カード口から投入された無線カードに記憶されている所定の情報を読み出すとともにこの投入された無線カードに対して所定の情報を書き込む機能を有している。また、この無線カード処理部４５は、操作部２０４及び表示部２０５を介して入力された券類情報に基づいて、券類として新規に無線カードを発行する発行手段としての機能を有している。さらに、無線カード処理部４５は、発行済みの無線カードを受け取って、入金された金額に対応して金額情報を積み増しするチャージ手段としての機能を有している。
【００７５】
例えば、この無線カード処理部４５は、無線カードの新規発行や継続発行、減算処理やチャージ処理などを行う。この無線カード処理部４５は、図８に示すように、ＣＰＵ７０の制御に基づいて、メモリ部７１、無線カードリーダライタ部９８、無線カード印刷部４２、搬送用モータ４３、搬送状態検知器９１、位置検知用センサ９９、搬送路センサ４４、無線カードホッパ９６を駆動する駆動部９６Ａなどを制御する。
【００７６】
メモリ部７１は、記憶手段として機能する。すなわち、このメモリ部７１は、ＲＡＭ、ＲＯＭ、不揮発性メモリなどを備えて構成され、各種制御データのほかに、券類の４つの搬送状態に対応した無線カードの通信可能範囲を規定する通信可能範囲情報や、各通信可能範囲の搬送方向上流側及び搬送方向下流側にそれぞれわたる補正範囲を規定する補正範囲情報を記憶している。
【００７７】
無線カードリーダライタ部９８は、無線アンテナ４１を介して無線カードＣとの間で比較的微弱な電磁波によって無線通信を行い、所定の券類情報を読み取るとともに所定の券類情報を書き込む。無線カード印刷部４２は、ヒートローラ４２ａ及びサーマルヘッド４２ｂを制御して、券類表面に印刷された所定情報を消去するとともに券類上面に更新された最新の所定情報を印刷する。
【００７８】
ＣＰＵ７０は、制御手段として機能する。すなわち、このＣＰＵ７０は、搬送される無線カードＣの搬送状態に応じて通信可能範囲内の所定位置が無線カードリーダライタ部９８の通信エリア内に位置するよう無線カードＣの搬送を停止させ、無線カードリーダライタ部９８により無線通信を行うよう制御する。
【００７９】
次に、上述した券類処理装置２０７における無線カードＣとの第１の無線通信処理方法について図９に示したフローチャートを参照して説明する。
【００８０】
すなわち、券類処理装置２０７におけるＣＰＵ７０は、検知器１０からの出力信号に基づいて、投入口８に券類が投入されたか否かを判断する（ＳＴ１１）。ＣＰＵ７０は、投入口８に投入された券類を検知したのに基づいて（ＳＴ１１、Ｙ）、搬送用モータ４３の駆動を制御して、券類を搬送路９に沿って搬送方向下流側に向けて搬送する（ＳＴ１２）。また、ＣＰＵ７０は、検知器１０からの出力信号に基づいて投入された券類が無線カードＣであると判断した場合には、無線カードをクレジットカード用搬送路１７を経由して無線カード用搬送路１８に向けて搬送する。
【００８１】
続いて、ＣＰＵ７０は、搬送状態検知器９１からの出力信号に基づいて投入された無線カードＣの搬送状態を判定する（ＳＴ１３）。
そして、ＣＰＵ７０は、第１搬送状態検知器９１Ａによる出力信号に基づいて無線カードＣのマークＭＫを検知した場合には（ＳＴ１４、Ｙ）、無線カードＣが第１搬送状態で搬送されているものと判断する（ＳＴ１５）。また、ＣＰＵ７０は、第２搬送状態検知器９１Ｂによる出力信号に基づいて無線カードＣのマークＭＫを検知した場合には（ＳＴ１６、Ｙ）、無線カードＣが第２搬送状態で搬送されているものと判断する（ＳＴ１７）。
【００８２】
また、ＣＰＵ７０は、第３搬送状態検知器９１Ｃによる出力信号に基づいて無線カードＣのマークＭＫを検知した場合には（ＳＴ１８、Ｙ）、無線カードＣが第３搬送状態で搬送されているものと判断する（ＳＴ１９）。また、ＣＰＵ７０は、第４搬送状態検知器９１Ｄによる出力信号に基づいて無線カードＣのマークＭＫを検知した場合には（ＳＴ２０、Ｙ）、無線カードＣが第２搬送状態で搬送されているものと判断する（ＳＴ２１）。
【００８３】
続いて、ＣＰＵ７０は、検知した無線カードＣの搬送状態に応じて、メモリ部７１に記憶した通信可能範囲情報に基づいて、搬送状態毎に通信可能範囲を設定する。
すなわち、ＣＰＵ７０は、無線カードＣが第１搬送状態で搬送されているものと判断した場合、メモリ部７１に記憶された対応する通信可能範囲情報を読み出し、無線カードＣの第１通信可能範囲を設定する（ＳＴ２２）。また、ＣＰＵ７０は、無線カードＣが第２搬送状態で搬送されているものと判断した場合、メモリ部７１に記憶された対応する通信可能範囲情報を読み出し、無線カードＣの第２通信可能範囲を設定する（ＳＴ２３）。
【００８４】
また、ＣＰＵ７０は、無線カードＣが第３搬送状態で搬送されているものと判断した場合、メモリ部７１に記憶された対応する通信可能範囲情報を読み出し、無線カードＣの第３通信可能範囲を設定する（ＳＴ２４）。また、ＣＰＵ７０は、無線カードＣが第４搬送状態で搬送されているものと判断した場合、メモリ部７１に記憶された対応する通信可能範囲情報を読み出し、無線カードＣの第４通信可能範囲を設定する（ＳＴ２５）。
【００８５】
続いて、ＣＰＵ７０は、搬送用モータ４３の駆動を制御して、設定した通信可能範囲内の所定位置が通信エリア内に位置するよう無線カードＣの搬送を停止させる（ＳＴ２６）。このとき、例えば、ＣＰＵ７０は、設定した無線カードＣの通信可能範囲のほぼ中心位置が無線カードリーダライタ部９８の無線アンテナ部４１の上に配置されるよう無線カードＣの搬送停止位置を制御する。
【００８６】
続いて、ＣＰＵ７０は、無線カードリーダライタ部９８を制御して、無線アンテナ部４１を介して無線カードＣのアンテナ部ＡＴとの間で無線通信を行う（ＳＴ２７）。そして、ＣＰＵ７０は、無線カードＣとの間で無線通信を正確に行うことができたか否かを判断する（ＳＴ２８）。
【００８７】
そして、ＣＰＵ７０は、無線通信を正確に行うことができたと判断した場合には（ＳＴ２８、Ｙ）、その後、無線カードＣに対して印刷処理などの所定の処理を施して終了する。また、ＣＰＵ７０は、無線通信を正確に行うことができなかったと判断した場合には（ＳＴ２８、Ｎ）、無線カードＣを投入口８から排出する（ＳＴ２９）。
【００８８】
また、無線カードＣの搬送状態を判定する工程において、ＣＰＵ７０は、第１乃至第４搬送状態検知器９１Ａ乃至９１Ｄのいずれからの出力信号に基づいても無線カードＣのマークＭＫを検知できなかった場合には（ＳＴ１４、Ｎ；ＳＴ１６、Ｎ；ＳＴ１８、Ｎ；ＳＴ２０、Ｎ）、無線カードＣを投入口８から排出して（ＳＴ２９）、無線通信処理を終了する。
【００８９】
上述したように、微弱な電磁波を用いて無線通信を行う比較的通信エリアが狭い無線カードリーダライタ部９８においては、確実に無線通信を行うためには、無線アンテナ部４１に対して無線カードＣのアンテナ部ＡＴを正確に位置合わせする必要がある。
【００９０】
一方で、無線カードＣの通信可能範囲は、必ずしも無線カードＣの中央部を中心にしているとは限らない。つまり、通信可能範囲は、無線カードＣの搬送状態によって異なる場合がある。そこで、メモリ部７１には、予め無線カードＣの搬送状態に対応して通信可能範囲を規定するための通信可能範囲情報が記憶されている。この実施の形態では、４つの搬送状態に対応して４つの通信可能範囲が予め規定されている。また、無線カードＣを搬送する無線カード用搬送路には、無線カードの搬送状態を検知する搬送状態検知器９１が配置されている。
【００９１】
券類処理装置２０７のＣＰＵ７０では、搬送状態検知器９１により、投入された無線カードＣからカードの裏面に印刷されたマークＭＫを検知することによって、無線カードの搬送状態が判定される。そして、このＣＰＵ７０は、判定した搬送状態に応じて予めメモリ部に記憶した通信可能範囲情報を読み出し、無線カードＣの搬送状態に対応した無線カードＣの通信可能範囲を設定する。
【００９２】
そして、ＣＰＵ７０は、搬送用モータ４３の駆動を制御して、設定した無線カードＣの通信可能範囲内の所定位置、例えば中心位置が無線カードリーダライタ部９８の無線アンテナ部４１の直上に配置されるよう無線カードＣの搬送を停止する。
【００９３】
これにより、無線カードＣの搬送状態にかかわらず、安定してしかも正確に無線通信を行うことが可能となる。したがって、頻繁に無線通信エラーが発生することもなく、無線カードＣの処理効率を向上することができるとともに、装置の信頼性の低下を防止することが可能となる。
【００９４】
次に、上述した券類処理装置２０７における無線カードＣとの第２の無線通信処理方法について図１０に示したフローチャートを参照して説明する。
【００９５】
すなわち、券類処理装置２０７におけるＣＰＵ７０は、検知器１０からの出力信号に基づいて、投入口８に券類が投入されたか否かを判断する（ＳＴ３１）。ＣＰＵ７０は、投入口８に投入された券類を検知したのに基づいて（ＳＴ３１、Ｙ）、搬送用モータ４３の駆動を制御して、券類を搬送路９に沿って搬送方向下流側に向けて搬送する（ＳＴ３２）。また、ＣＰＵ７０は、検知器１０からの出力信号に基づいて投入された券類が無線カードＣであると判断した場合には、無線カードをクレジットカード用搬送路１７を経由して無線カード用搬送路１８に向けて搬送する。
【００９６】
続いて、ＣＰＵ７０は、搬送状態検知器９１からの出力信号に基づいて投入された無線カードＣの搬送状態を判定する（ＳＴ３３）。続いて、ＣＰＵ７０は、検知した無線カードＣの搬送状態に応じて、メモリ部７１に記憶した通信可能範囲情報に基づいて、搬送状態毎に通信可能範囲を設定する（ＳＴ３４）。これらの搬送状態の判定方法及び通信可能範囲の設定方法は、上述した第一の無線通信処理方法と同一であるため詳細な説明は省略する。
【００９７】
続いて、ＣＰＵ７０は、搬送用モータ４３の駆動を制御して、設定した通信可能範囲内の所定位置が通信エリア内に位置するよう無線カードＣの搬送を停止させる（ＳＴ３５）。このとき、まず、ＣＰＵ７０は、設定した無線カードＣの通信可能範囲のほぼ中心位置（第１位置）が無線カードリーダライタ部９８の無線アンテナ部４１の上に配置されるよう無線カードＣの搬送停止位置を制御する。
【００９８】
続いて、ＣＰＵ７０は、無線カードリーダライタ部９８を制御して、無線アンテナ部４１を介して無線カードＣのアンテナ部ＡＴとの間で無線通信を行う（ＳＴ３６）。そして、ＣＰＵ７０は、無線カードＣとの間で無線通信を正確に行うことができたか否かを判断する（ＳＴ３７）。
【００９９】
そして、ＣＰＵ７０は、無線通信を正確に行うことができたと判断した場合には（ＳＴ３７、Ｙ）、その後、無線カードＣに対して印刷処理などの所定の処理を施して終了する。
また、ＣＰＵ７０は、無線通信を正確に行うことができなかったと判断した場合には（ＳＴ３７、Ｎ）、メモリ部７１に通信可能範囲情報毎に記憶された補正範囲情報を読み出し、搬送状態毎に補正範囲を設定する（ＳＴ３８）。
【０１００】
続いて、ＣＰＵ７０は、搬送用モータ４３の駆動を制御して、設定した補正範囲内の所定位置が通信エリア内に位置するよう無線カードＣを移動させて搬送を停止させる（ＳＴ３９）。このとき、例えば、ＣＰＵ７０は、無線カードＣを搬送方向上流側に移動し、設定した無線カードＣの補正範囲のうち、通信可能範囲の搬送方向上流側の所定位置（第２位置）が無線カードリーダライタ部９８の無線アンテナ部４１の上に配置されるよう無線カードＣの搬送停止位置を制御する。
【０１０１】
続いて、ＣＰＵ７０は、無線カードリーダライタ部９８を制御して、無線アンテナ部４１を介して無線カードＣのアンテナ部ＡＴとの間で無線通信を行う（ＳＴ４０）。そして、ＣＰＵ７０は、無線カードＣとの間で無線通信を正確に行うことができたか否かを判断する（ＳＴ４１）。
【０１０２】
そして、ＣＰＵ７０は、無線通信を正確に行うことができたと判断した場合には（ＳＴ４１、Ｙ）、その後、無線カードＣに対して印刷処理などの所定の処理を施して終了する。
また、ＣＰＵ７０は、無線通信を正確に行うことができなかったと判断した場合には（ＳＴ４１、Ｎ）、搬送用モータ４３の駆動を制御して、設定した補正範囲内の所定位置が通信エリア内に位置するよう無線カードＣを移動させて搬送を停止させる（ＳＴ４２）。このとき、例えば、ＣＰＵ７０は、無線カードＣを搬送方向下流側に移動し、設定した無線カードＣの補正範囲のうち、通信可能範囲の搬送方向下流側の所定位置（第２位置）が無線カードリーダライタ部９８の無線アンテナ部４１の上に配置されるよう無線カードＣの搬送停止位置を制御する。
【０１０３】
続いて、ＣＰＵ７０は、無線カードリーダライタ部９８を制御して、無線アンテナ部４１を介して無線カードＣのアンテナ部ＡＴとの間で無線通信を行う（ＳＴ４３）。そして、ＣＰＵ７０は、無線カードＣとの間で無線通信を正確に行うことができたか否かを判断する（ＳＴ４４）。
【０１０４】
そして、ＣＰＵ７０は、無線通信を正確に行うことができたと判断した場合には（ＳＴ４４、Ｙ）、その後、無線カードＣに対して印刷処理などの所定の処理を施して終了する。
また、ＣＰＵ７０は、無線通信を正確に行うことができなかったと判断した場合には（ＳＴ４４、Ｎ）、無線カードＣを投入口８から排出して（ＳＴ４５）、無線通信処理を終了する。
【０１０５】
上述したように、微弱な電磁波を用いて無線通信を行う比較的通信エリアが狭い無線カードリーダライタ部９８においては、確実に無線通信を行うためには、無線アンテナ部４１に対して無線カードＣのアンテナ部ＡＴを正確に位置合わせする必要がある。一方で、無線カードＣの通信可能範囲や、無線カードリーダライタ部９８のアンテナ部４１による通信エリアは、それぞれの個体差によって若干変化することがある。
【０１０６】
そこで、メモリ部７１には、予め無線カードＣの搬送状態に対応して通信可能範囲を規定するための通信可能範囲情報とともに、各通信可能範囲の搬送方向上流側及び搬送方向下流側にそれぞれにわたる補正範囲を規定する補正範囲情報が記憶されている。
【０１０７】
券類処理装置２０７のＣＰＵ７０では、搬送状態検知器９１により、投入された無線カードＣからカードの裏面に印刷されたマークＭＫを検知することによって、無線カードの搬送状態が判定される。そして、このＣＰＵ７０は、判定した搬送状態に応じて予めメモリ部に記憶した通信可能範囲情報を読み出し、無線カードＣの搬送状態に対応した無線カードＣの通信可能範囲を設定する。
【０１０８】
そして、ＣＰＵ７０は、搬送用モータ４３の駆動を制御して、設定した無線カードＣの通信可能範囲内の所定位置、例えば中心位置が無線カードリーダライタ部９８の無線アンテナ部４１の直上に配置されるよう無線カードＣの搬送を停止する。
【０１０９】
このような位置関係で無線カードＣの搬送を停止させても無線通信エラーが発生した場合、同じ位置で無線通信リトライを行っても再度無線通信エラーを発生する可能性が高い。このため、無線通信リトライを行う前に、無線カードＣを補正範囲内において移動させ、無線アンテナ部４１との相対位置をずらした状態とする。この後、無線通信リトライを行うことにより、無線カードＣの通信可能範囲や無線カードリーダライタ９８の通信エリアの個体差を吸収することができる。
【０１１０】
これにより、無線カードＣや無線カードリーダライタ部９８の個体差にかかわらず、安定してしかも正確に無線通信を行うことが可能となる。したがって、頻繁に無線通信エラーが発生することもなく、無線カードＣの処理効率を向上することができるとともに、装置の信頼性の低下を防止することが可能となる。
【０１１１】
なお、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【０１１２】
【発明の効果】
以上説明したように、この発明によれば、安定した無線通信を行うことができ、処理効率を向上することが可能であるとともに信頼性の低下を防止することが可能な券類処理装置を提供することができる。
【図面の簡単な説明】
【図１】図１は、改札システムの構成を概略的に示す図である。
【図２】図２は、図１に示した改札システムに適用可能な無線カードの構成を概略的に示す図である。
【図３】図３は、この発明の一実施の形態に係る券類処理装置を備えた券売機の構成を概略的に示すブロック図である。
【図４】図４は、この発明の一実施の形態に係る券類処理装置を備えた精算機の構成を概略的に示すブロック図である。
【図５】図５は、図３及び図４に示した券類処理装置の内部の構造を概略的に示す断面図である。
【図６】図６は、図５に示した無線カード用搬送路における搬送状態検知器の配置例を示す図である。
【図７】図７は、図３及び図４に示した券類処理装置の構成を概略的に示すブロック図である。
【図８】図８は、図７に示した無線カード処理部の構成を概略的に示すブロック図である。
【図９】図９は、券類処理装置における第１の無線通信処理方法を説明するためのフローチャートである。
【図１０】図１０は、券類処理装置における第２の無線通信処理方法を説明するためのフローチャートである。
【符号の説明】
４１…無線アンテナ部
４２…無線カード印刷部
４３…搬送用モータ（搬送手段）
４５…無線カード処理部
７０…ＣＰＵ（制御手段）
７１…メモリ部（記憶手段）
９１…搬送状態検知器（検知手段）
９８…無線カードリーダライタ部（無線通信手段）
９９…位置検知用センサ
２００…券売機
２０７…券類処理装置
４００…精算機
４０７…券類処理装置
【図１】
2004013498.tif 000003
【図２】
2004013498.tif 000004
【図３】
2004013498.tif 000005
【図４】
2004013498.tif 000006
【図５】
2004013498.tif 000007
【図６】
2004013498.tif 000008
【図７】
2004013498.tif 000009
【図８】
2004013498.tif 000010
【図９】
2004013498.tif 000011
【図１０】
2004013498.tif 000012